(57)【要約】【課題】  開発費用を製品価格に転嫁せず、使用者の経済的な負担を軽減することができるディジタルＡＶ機器のコンテンツ検索装置を提供すること。【解決手段】  ディジタルＡＶ機器の使用者から検索キーを受付け、ＤＬＮＡ準拠のネットワーク等に接続された他のディジタルＡＶ機器、コンピュータ等の情報機器のいずれかに蓄積された動画等のディジタルコンテンツを検索対象とし、受付けた検索キーに対応するメタデータが付加されたディジタルコンテンツを検索して表示する第１の手段と、前記検索キーに関連する広告コンテンツを複数の広告主または広告代理人が管理する複数の広告配信装置から取得し、その取得した広告コンテンツのうち当該コンテンツ検索装置の提供者あるいは開発者との間で広告を表示したことに対する対価を支払うことを契約した広告主または広告代理人の広告コンテンツを優先して表示手段に表示する第２の手段とを備える。【選択図】      図１
2010165286.tif 000002
【特許請求の範囲】
【請求項１】
ディジタルＡＶ機器の使用者から検索キーを受付け、ＤＬＮＡ準拠のネットワークあるいはインターネット等のネットワークに接続された他のディジタルＡＶ機器、コンピュータ等の情報機器及び自機器のデータベースのいずれかに蓄積された動画等のディジタルコンテンツを検索対象とし、受付けた検索キーに対応するメタデータが付加されたディジタルコンテンツを検索して表示すると共に、検索したディジタルコンテンツにメタデータを付加して保存先の情報と共にデータベースに蓄積する第１の手段と、
前記検索キーに関連する広告コンテンツを複数の広告主または広告代理人が管理する複数の広告配信装置から取得し、その取得した広告コンテンツのうち当該コンテンツ検索装置の提供者あるいは開発者との間で広告を表示したことに対する対価を支払うことを契約した広告主または広告代理人の広告コンテンツを優先して表示手段に表示する第２の手段と、
表示した広告コンテンツを広告主別または広告代理人別に集計し、集計結果を所定期間単位で広告主または広告代理人の情報端末にネットワークを介して送信する第３の手段と
を備えることを特徴とするディジタルＡＶ機器のコンテンツ検索装置。
【請求項２】
前記第２の手段は、複数の広告配信装置から取得した広告コンテンツの広告主または広告代理人が、広告を表示したことに対する対価を支払うことを契約した広告主または広告代理人であるかを契約者テーブルに予め登録されている広告主または広告代理人の情報を参照して判定することを特徴とする請求項１に記載のディジタルＡＶ機器のコンテンツ検索装置。
【請求項３】
前記第２の手段は、広告を表示したことに対する対価を支払うことを契約した広告主または広告代理人の識別情報が登録された契約者テーブルを参照し、当該契約者テーブルに登録されている広告主または広告代理人が管理する広告配信装置のみから広告コンテンツを取得することを特徴とする請求項１に記載のディジタルＡＶ機器のコンテンツ検索装置。
【発明の詳細な説明】
【技術分野】
【０００１】
本発明は、ディジタルオーディオ・ビジュアル機器（以下、ディジタルＡＶ機器）にコンテンツサーチエンジンとして組み込むコンテンツ検索装置に係り、特にＤＬＮＡ（Digital Living Network Alliance）準拠のネットワークやEthernet（登録商標）等の宅内ネットワークに接続されたディジタルＡＶ機器に蓄積された動画や静止画、音楽などのディジタルコンテンツを検索する際に、検索されたディジタルコンテンツに関連する広告、特にコンテンツ検索装置の開発メーカあるいは提供者と契約した広告主の広告コンテンツを優先的に検索して表示するコンテンツ検索装置に関するものである。
【背景技術】
【０００２】
これまでのディジタルＡＶ機器では、各機器内でディジタルコンテンツを蓄積した場合、宅内の他のディジタルＡＶ機ないしは蓄積可能なストレージに蓄えられたそれをサーチする機能を持つものはあったが、それは対象とするディジタルコンテンツのみをサーチ範囲としていた。
下記の特許文献１に開示された技術では、ソフトウェア開発者が手間をかけることなく自作ソフトウェアに広告出力機能を付加できる手段を提供しているが、対象となっている機器はいわゆるサーバ／クライアントシステムであり、ディジタルＡＶ機器に組み込むことを想定していない。
また、下記の特許文献２に開示された技術では、ソフトウェアのインストール中ないしはインストール直後に広告を表示する方法を提供しているが、インストール操作に限定されているため、本発明とは根本的に考え方が異なる。
【０００３】
【特許文献１】特開２００２−２６９４４９号
【特許文献２】特許第４０５６３７２号
【発明の開示】
【発明が解決しようとする課題】
【０００４】
ところで、動画や音楽などの目的のディジタルコンテンツに関連する広告コンテンツをも検索する場合に、対象となる広告コンテンツは宅内に持ち込まれたＤＶＤやＢｌｕ−ｒａｙなどのメディアに含まれた形で蓄積されたものや、テレビ番組をＨＤＤに録画したときに含まれるコマーシャル映像などさまざまである。さらにサーチを実施する時に、宅内ネットワークがインターネットに接続されていた場合は、ネット上の広告コンテンツもサーチ範囲として含まれ、より広範な広告コンテンツがヒットすることになる。ディジタルＡＶ機器の使用者は自分の蓄積した動画などのコンテンツに加えて関連する広告コンテンツを手にすることできる。
しかしながら、このような機能をＡＶ機器の使用者に提供するサーチエンジン（コンテンツ検索装置）は、家電品メーカが自製するか専業メーカのソフトウェア製品を購入して組み込むかのいずれかである。いずれであっても開発費や購入費が発生し、メーカの製品開発コストを押し上げ、製品価格に転嫁されることになり、製品価格が高くなり、使用者の経済的な負担が増大することになる。
【０００５】
本発明はこのような事情に鑑みなされたものであり、その目的は使用者の経済的負担を軽減することができるディジタルＡＶ機器のコンテンツ検索装置を提供することである。
【課題を解決するための手段】
【０００６】
上記目的を達成するために、本発明に係るディジタルＡＶ機器のコンテンツ検索装置は、ディジタルＡＶ機器の使用者から検索キーを受付け、ＤＬＮＡ準拠のネットワークあるいはインターネット等のネットワークに接続された他のディジタルＡＶ機器、コンピュータ等の情報機器のいずれかに蓄積された動画等のディジタルコンテンツを検索対象とし、受付けた検索キーに対応するメタデータが付加されたディジタルコンテンツを検索して表示する第１の手段と、前記検索キーに関連する広告コンテンツを複数の広告主または広告代理人が管理する複数の広告配信装置から取得し、その取得した広告コンテンツのうち当該コンテンツ検索装置の提供者あるいは開発者との間で広告を表示したことに対する対価を支払うことを契約した広告主または広告代理人の広告コンテンツを優先して表示手段に表示する第２の手段と、表示した広告コンテンツを広告主別または広告代理人別に集計し、所定期間単位で広告主または広告代理人の情報端末にネットワークを介して送信する第３の手段とを備えることを特徴とする。
また、前記第２の手段は、複数の広告配信装置から取得した広告コンテンツの広告主または広告代理人が広告を表示したことに対する対価を支払うことを契約した広告主または広告代理人であるかを契約者テーブルに予め登録されている広告主または広告代理人の情報を参照して判定することを特徴とする。
また、前記第２の手段は、広告を表示したことに対する対価を支払うことを契約した広告主または広告代理人の識別情報が登録された契約者テーブルを参照し、当該契約者テーブルに登録されている広告主または広告代理人が管理する広告配信装置のみから広告コンテンツを取得することを特徴とする。
【発明の効果】
【０００７】
本発明によれば、ディジタルＡＶ機器の使用者が指定した検索キーに対応する動画、静止画、音楽などのディジタルコンテンツをＤＬＮＡ準拠のネットワークあるいはインターネット等のネットワークに接続された他のディジタルＡＶ機器、コンピュータ等の情報機器及び自機器のデータベースのいずれかから検索し、その検索結果を表示すると共に、コンテンツ検索装置の提供者あるいは開発者との間で広告を表示したことに対する対価を支払うことを契約した広告主または広告代理人の広告コンテンツを優先して表示手段に表示し、その表示したことに対する対価の支払をコンテンツ検索装置の提供者あるいは開発者が受ける。
これにより、コンテンツ検索装置の開発に係る費用を広告主または代理人に分担させることができ、結果的にディジタルＡＶ機器の使用者の経済的負担を軽減することが可能になる。
また、広告主にとっては、ディジタルＡＶ機器を新たな広告メディアとして利用可能になるという利点がある。
【発明を実施するための最良の形態】
【０００８】
以下、本発明を図示する実施の形態に基づいて詳細に説明する。
図１は、本発明の実施の形態を示すシステム構成図である。
この実施形態は、ディジタルテレビ１、ＨＤＤ付メディアプレーヤ２などのＤＬＮＡ準拠のディジタルＡＶ機器やパーソナルコンピュータ（ＰＣ）３などの情報機器がＤＬＮＡ準拠の宅内ネットワーク４で接続され、ホームゲートウェイ５を介してインターネット６に接続された構成を示したものである。
インターネット６には、広告主あるいはその代理人が管理し、各種の広告コンテンツを配信する複数の広告コンテンツ配信サーバ７ａ〜７ｎが接続されると共に、他の宅内ネットワークのディジタルＡＶ機器がホームゲートウェイを介して接続されている。
【０００９】
各機器１〜３は、図２に示すように、内部にコンテンツ検索装置１０を備えると共に、動画、静止画、音楽などのディジタルコンテンツを蓄積するハードディスク（ＨＤＤ）あるいはメモリ媒体などのコンテンツ蓄積手段１１を備えている。また、ディジタルコンテンツの検索キーなどを入力する入力手段１２を備えると共に、検索したディジタルコンテンツを表示するブラウザ１３を備えている。また、検索したディジタルコンテンツをその保存先の情報を含むメタデータと共に記憶するデータベース１４を備えている。
【００１０】
コンテンツ検索装置１０は、図３に示すように、ディジタルＡＶ機器の入力手段１２から使用者の操作による検索キーを受付け、他のディジタルＡＶ機器、コンピュータ等の情報機器のいずれかに蓄積された動画等のディジタルコンテンツを検索対象とし、受付けた検索キーに対応するメタデータが付加されたディジタルコンテンツを検索してブラウザ１３に表示すると共に、検索したディジタルコンテンツにメタデータを付加してデータベース１４に蓄積するディジタルコンテンツ検索手段１００と、検索キーに関連する広告コンテンツを複数の広告主または広告代理人が管理する複数の広告配信サーバ７ａ〜７ｎから取得し、その取得した広告コンテンツのうち当該コンテンツ検索装置１０の提供者（あるいは開発者）との間で広告を表示したことに対する対価を支払うことを契約した広告主または広告代理人の広告コンテンツを優先してブラウザ１３に表示する広告コンテンツ検索手段１０１と、表示した広告コンテンツを広告主別または広告代理人別に集計し、所定期間単位（例えば１ヶ月単位）で広告主または広告代理人の広告配信サーバ７ａ〜７ｎにネットワークを介して送信する表示結果報告手段１０２とを備えている。
【００１１】
以上の構成において、各機器１〜３が備えているコンテンツ蓄積手段１１には、動画などのディジタルコンテンツが、その作成日、作成者、概要などのメタデータと共に記憶されている。
以上の構成において、目的とするディジタルコンテンツを検索する場合、まず、図５のフローチャートに示すように、ＤＬＮＡ接続があるか、インターネット接続がなされているかを確認し（ステップ５００，５０１）、それに合わせた検索範囲、検索キーを入力手段１２から入力し、検索キーに対応するメタデータを持つディジタルコンテンツの保存先（存在場所）と広告コンテンツとを宅内のメディア及びネットワークから検索する（５０２，５０３）。そして、検索結果をブラウザ１３で表示する（ステップ５０４）。
【００１２】
検索結果のディジタルコンテンツの保存先（存在場所）については、例えばディジタルテレビ内とか、パーソナルコンピュータのハードディスク内とか実際に保存されている機器を検索する。そして、データベース１４にその機器を保存先とし、かつ検索したディジタルコンテンツの作成日、作成者、概要などのメタデータを図４に示すような形式で記憶する。この記憶した情報は、次回の検索時に参照する。
【００１３】
検索結果の広告コンテンツを表示する場合、当該コンテンツ検索装置１０の提供者（あるいは開発者）との間で広告を表示したことに対する対価を支払うことを契約した広告主または広告代理人の広告コンテンツを優先してブラウザ１３に表示する。
すなわち、契約者テーブル１０３には、当該コンテンツ検索装置１０の提供者（あるいは開発者）との間で広告を表示したことに対する対価を支払うことを契約した広告主または広告代理人の情報が予め登録されている。
そこで、検索キーに対応する広告コンテンツがヒットしたならば、その広告主が契約者テーブルに予め登録されている広告主または広告代理人であるかを確認し、そうであればブラウザ１３に優先的に表示する。しかし、そうでなければ、表示しない。
【００１４】
コンテンツ検索装置１０の表示結果報告手段１０２は、表示した広告コンテンツの数を広告主別に集計し、その集計結果を例えば１ヶ月単位で広告コンテンツ配信サーバ７ａ〜７ｎに送信する。
この場合、表示した広告コンテンツがバナー広告のようなものであれば、その広告コンテンツへの操作数を集計し、報告するようにしてもよい。
１ヶ月単位で広告コンテンツの表示結果を受信した配信サーバ７の管理者は契約に従ってコンテンツ検索装置１０の提供者（あるいは開発者）に対価を支払う。
なお、検索キーに対応する広告コンテンツを検索する場合、契約者テーブル１０３に登録されている広告コンテンツの契約者の広告主が管理する配信サーバのみを検索対象として広告コンテンツを検索し、検索結果を表示するようにしてもよい。
【００１５】
なお、契約者テーブル１０３に登録する契約者の情報については、インターネット（登録商標）等のネットワークを通じて随時更新する構成にしておくことにより、多くの広告主の広告コンテンツを表示し、その表示結果に対する多くの対価を獲得することができる。そして、その対価をコンテンツ検索装置１０の開発費用にすることにより、コンテンツ検索装置１０の製品価格を下げることができ、結果的に一般ユーザへの経済的負担を軽減することが可能になる。
【図面の簡単な説明】
【００１６】
【図１】本発明に係るコンテンツ検索装置を使用する宅内機器の構成例を示すシステム構成図である。
【図２】本発明に係るコンテンツ検索装置を搭載した機器の内部構成例を示すブロック図である。
【図３】本発明に係るコンテンツ検索装置の構成を示すブロック図である。
【図４】データベースに記憶されるディジタルコンテンツの保存先やメタデータの例を示す図である。
【図５】デジタルコンテンツ及び広告コンテンツの検索処理を示すフローチャートである。
【符号の説明】
【００１７】
１    ディジタルテレビ
２    ＨＤＤ付メディアプレイヤ
３    パーソナルコンピュータ
４    宅内ネットワーク
５    ホームゲートウェイ
６    インターネット
７    広告コンテンツ配信サーバ
１０    コンテンツ検索装置
１１    コンテンツ蓄積手段
１４    データベース
１００    ディジタルコンテンツ検索手段
１０１    広告コンテンツ検索手段
１０２    検索結果報告手段
１０３    契約者テーブル
【図１】
2010165286.tif 000003
【図２】
2010165286.tif 000004
【図３】
2010165286.tif 000005
【図４】
2010165286.tif 000006
【図５】
2010165286.tif 000007